(57)【要約】【課題】機能が異なるモジュールに交換し、装着する者の様々なニーズを満たすことができる多機能腕輪構造を提供する。【解決手段】多機能腕輪構造は、腕輪１を備える。腕輪１は、基体２及びモジュール３を有する。基体２は、２つの開放端部２１を有し、少なくとも１つの挿着部２１１と、挿着部２１１に隣り合う少なくとも１つの係合孔とが一端に設けられ、少なくとも１つの係止孔２２１が他端に設けられる。モジュール３は、基体２に取付けられ、基体２に対して取り付けたり取り外したりし得るとともに、両端部３１，３２を有し、挿着部２１１に対応して挿入可能な少なくとも１つの延伸部３１１が一端に設けられ、延伸部３１１の自由端には、係合孔に対応する第１の係合部材３１３が設けられ、係止孔２２１に対応する少なくとも１つの第２の係合部材３２１が他端に設けられる。【選択図】図２
0003215069.tif 000002
【実用新案登録請求の範囲】
【請求項１】
腕輪を備えた多機能腕輪構造であって、
前記腕輪は、基体及びモジュールを有し、
前記基体は、２つの開放端部を有し、少なくとも１つの挿着部と、前記挿着部に隣り合う少なくとも１つの係合孔と、が一端に設けられ、少なくとも１つの係止孔が他端に設けられ、
前記モジュールは、前記基体に取付けられ、前記基体に対して取り付けたり取り外したりし得るとともに、両端部を有し、前記挿着部に対応して挿入可能な少なくとも１つの延伸部が一端に設けられ、前記延伸部の自由端には、前記係合孔に対応する第１の係合部材が設けられ、前記係止孔に対応する少なくとも１つの第２の係合部材が他端に設けられ、前記第１の係合部材と前記第２の係合部材とは表裏の関係に配置され、前記挿着部に前記延伸部が挿入され、前記基体の前記係合孔に前記第１の係合部材が嵌着され、前記基体の前記係止孔に前記第２の係合部材が係止されると、前記モジュールと前記基体とが結合されることを特徴とする多機能腕輪構造。
【請求項２】
前記モジュールは、電子機器、宝飾、化粧品又は香水入れであることを特徴とする請求項１に記載の多機能腕輪構造。
【請求項３】
前記電子機器は、計算機、歩数計、タイマー、カロリー計算機、生理情報モニタ、時計装置、位置装置、録音録画装置、緊急通報装置、ビデオ通話装置、ＬＥＤランプ装置、ＡＶ機器、音声翻訳機、携帯電話と通信可能な写真撮影装置又は電子チケット装置であることを特徴とする請求項２に記載の多機能腕輪構造。
【請求項４】
前記基体は、円形状、方形状、楕円形状又は多角形状であることを特徴とする請求項１に記載の多機能腕輪構造。
【請求項５】
前記腕輪は、金、白金、銀、パラジウム、炭化タングステン、コバルト、タンタル、アルミニウム、銅、ステンレス鋼、プラスチック又は木からなることを特徴とする請求項１に記載の多機能腕輪構造。
【請求項６】
前記挿着部と前記係合孔との間には、第１の凸部が設けられ、
前記延伸部には、窪み部が設けられ、
前記窪み部には、前記係合孔と前記第１の係合部材とが係止されて位置決めされるように、前記第１の凸部が対応するように収容されることを特徴とする請求項１に記載の多機能腕輪構造。
【請求項７】
前記挿着部の前縁には、第２の凸部が設けられ、
窪み部と凹溝とが表裏の関係に設けられ、
前記凹溝と前記第２の凸部とは対向配置され、前記延伸部を前記挿着部に挿入する際、前記モジュールの他端を下方へ移動させると、前記第２の係合部材が前記係止孔に係止されて前記基体と組み合わされることを特徴とする請求項１に記載の多機能腕輪構造。
【請求項８】
前記第１の係合部材は嵌合ブロックであり、
前記第２の係合部材は係止ブロックであることを特徴とする請求項１に記載の多機能腕輪構造。
【請求項９】
前記基体と前記モジュールとは、互いに結合されて封止形態に形成され、使用者の腕に装着可能であることを特徴とする請求項１に記載の多機能腕輪構造。
【考案の詳細な説明】
【技術分野】
【０００１】
本考案は、多機能腕輪構造に関し、特に、異なる機能モジュールに交換する腕輪構造に関する。
【背景技術】
【０００２】
多くの人は、服装に合った様々な装飾品を身につけて個人の特色を出しているが、数ある宝飾のうち腕輪を例にとると、使用者の腕に装着して使用することが一般的であった。よく見かける腕輪は、単純な装飾的機能を備える他、様々な生理機能を測定することができる電子型腕輪もあった。しかし、使用者は状況又は必要に応じて適切な機能を有する腕輪を選択しなければならず、一つの腕輪で良い見栄えと電子機能との両方を備えることはできなかった。そのため使用者は、必要に応じて腕輪を選択して組み合わせなければならないため、購入コストが増える上、収納が容易でないなどの問題点があった。
【０００３】
そのため、上述したような従来技術の問題点を改善する多機能腕輪構造が求められていた。
【考案の概要】
【考案が解決しようとする課題】
【０００４】
本考案の主な目的は、機能が異なるモジュールに交換し、装着する者の様々なニーズを満たし、容易に取り付けたり取り外したりすることができ、あらゆる年齢層で使用することができる上、様々な材料を使用して応用範囲を広げることができる多機能腕輪構造を提供することにある。
【課題を解決するための手段】
【０００５】
上記課題を解決するために、本考案の第１の形態によれば、腕輪を備えた多機能腕輪構造であって、前記腕輪は、基体及びモジュールを有し、前記基体は、２つの開放端部を有し、少なくとも１つの挿着部と、前記挿着部に隣り合う少なくとも１つの係合孔と、が一端に設けられ、少なくとも１つの係止孔が他端に設けられ、前記モジュールは、前記基体に取付けられ、前記基体に対して取り付けたり取り外したりし得るとともに、両端部を有し、前記挿着部に対応して挿入可能な少なくとも１つの延伸部が一端に設けられ、前記延伸部の自由端には、前記係合孔に対応する第１の係合部材が設けられ、前記係止孔に対応する少なくとも１つの第２の係合部材が他端に設けられ、前記第１の係合部材と前記第２の係合部材とは表裏の関係に配置され、前記挿着部に前記延伸部が挿入され、前記基体の前記係合孔に前記第１の係合部材が嵌着され、前記基体の前記係止孔に前記第２の係合部材が係止されると、前記モジュールと前記基体とが結合されることを特徴とする多機能腕輪構造が提供される。
【０００６】
前記モジュールは、電子機器、宝飾、化粧品又は香水入れであることが好ましい。
【０００７】
前記電子機器は、計算機、歩数計、タイマー、カロリー計算機、生理情報モニタ、時計装置、位置装置、録音録画装置、緊急通報装置、ビデオ通話装置、ＬＥＤランプ装置、ＡＶ機器、音声翻訳機、携帯電話と通信可能な写真撮影装置又は電子チケット装置であることが好ましい。
【０００８】
前記基体は、円形状、方形状、楕円形状又は多角形状であることが好ましい。
【０００９】
前記腕輪は、金、白金、銀、パラジウム、炭化タングステン、コバルト、タンタル、アルミニウム、銅、ステンレス鋼、プラスチック又は木からなることが好ましい。
【００１０】
前記挿着部と前記係合孔との間には、第１の凸部が設けられ、前記延伸部には、窪み部が設けられ、前記窪み部には、前記係合孔と前記第１の係合部材とが係止されて位置決めされるように、前記第１の凸部が対応するように収容されることが好ましい。
【００１１】
前記挿着部の前縁には、第２の凸部が設けられ、窪み部と凹溝とは表裏の関係に設けられ、前記凹溝と前記第２の凸部とは対向配置され、前記延伸部を前記挿着部に挿入する際、前記モジュールの他端を下方へ移動させると、前記第２の係合部材が前記係止孔に係止されて前記基体と組み合わされることが好ましい。
【００１２】
前記第１の係合部材は嵌合ブロックであり、前記第２の係合部材は係止ブロックであることが好ましい。
【００１３】
前記基体と前記モジュールとは、互いに結合されて封止形態に形成され、使用者の腕に装着可能であることが好ましい。
【図面の簡単な説明】
【００１４】
【図１】図１は、本考案の一実施形態に係る多機能腕輪構造を示す斜視図である。
【図２】図２は、本考案の一実施形態に係る多機能腕輪構造を示す分解斜視図である。
【図３】図３は、本考案の一実施形態に係る多機能腕輪構造を示す断面図（１）である。
【図４】図４は、本考案の一実施形態に係る多機能腕輪構造を示す断面図（２）である。
【図５】図５は、本考案の一実施形態に係る多機能腕輪構造を示す断面図（３）である。
【図６】図６は、本考案の一実施形態に係る多機能腕輪構造を示す断面図（４）である。
【図７】図７は、本考案の一実施形態に係る多機能腕輪構造を示す断面図（５）である。
【図８】図８は、本考案の一実施形態に係る多機能腕輪構造の使用状態の説明図（１）である。
【図９】図９は、本考案の一実施形態に係る多機能腕輪構造の使用状態の説明図（２）である。
【図１０】図１０は、本考案の一実施形態に係る多機能腕輪構造の使用状態の説明図（３）である。
【図１１】図１１は、本考案の第１実施形態に係る多機能腕輪構造を示す斜視図である。
【図１２】図１２は、本考案の第１実施形態に係る多機能腕輪構造を示す分解斜視図である。
【図１３】図１３は、本考案の第２実施形態に係る多機能腕輪構造を示す分解斜視図である。
【図１４】図１４は、本考案の第２実施形態に係る多機能腕輪構造を示す斜視図である。
【図１５】図１５は、本考案の第３実施形態に係る多機能腕輪構造を示す斜視図である。
【図１６】図１６は、本考案の第４実施形態に係る多機能腕輪構造を示す分解斜視図である。
【図１７】図１７は、本考案の第４実施形態に係る多機能腕輪構造を示す斜視図である。
【図１８】図１８は、本考案の第５実施形態に係る多機能腕輪構造を示す分解斜視図である。
【図１９】図１９は、本考案の第５実施形態に係る多機能腕輪構造を示す斜視図である。
【考案を実施するための形態】
【００１５】
以下、本考案の実施形態について図に基づいて説明する。なお、これによって本考案が限定されるものではない。
【００１６】
図１〜図１０を参照する。図１〜図１０に示すように、本考案の一実施形態に係る多機能腕輪構造は、少なくとも腕輪１を備える。
【００１７】
腕輪１は、少なくとも基体２及びモジュール３から構成されてなる。
【００１８】
基体２は、２つの開放端部２１，２２を有する。開放端部２１には、少なくとも１つの挿着部２１１と、挿着部２１１に隣り合う係合孔２１２と、が設けられる。開放端部２２には、係止孔２２１が設けられる。基体２は、円形状、方形状、楕円形状又は多角形状でもよい。
【００１９】
モジュール３は、基体２に対して取り付けたり取り外したりすることができる。モジュール３は、端部３１，３２を有する。端部３１には、挿着部２１１に対応して挿入可能な延伸部３１１が設けられる。延伸部３１１には、係合孔２１２に対応する第１の係合部材３１３が設けられる。本実施形態では嵌合ブロックを使用しているが、これだけに限定されるわけではない。端部３２は、係止孔２２１に対応する第２の係合部材３２１を有する。本実施形態では係止ブロックを使用しているが、これだけに限定されるわけではない。第１の係合部材３１３と第２の係合部材３２１とは表裏の関係に配置され、挿着部２１１に延伸部３１１が挿入され、基体の係合孔２１２に第１の係合部材３１３が嵌着され、基体の係止孔２２１に第２の係合部材３２１が係止されると、モジュール３と基体２とが結合される。また、本実施形態の腕輪１は、金、白金、銀、パラジウム、炭化タングステン、コバルト、タンタル、アルミニウム、銅、ステンレス鋼、プラスチック又は木からなるが、これだけに限定されるわけではない。
【００２０】
挿着部２１１と係合孔２１２との間には、第１の凸部２１３が設けられる。延伸部３１１には、窪み部３１２が設けられる。窪み部３１２には、係合孔２１２と第１の係合部材３１３とが係止されて位置決めされるように、第１の凸部２１３が対応するように収容される。挿着部２１１の前縁には、第２の凸部２１４が設けられる。窪み部３１２と凹溝３１４とは表裏の関係に設けられる。凹溝３１４と第２の凸部２１４とは対向配置され、延伸部３１１を挿着部２１１に挿入する際、モジュールの端部３２を下方へ移動させると、第２の係合部材３２１が係止孔２２１に係止されて基体２と組み合わされる。
【００２１】
本実施形態の腕輪１は、基体２とモジュール３とが互いに結合されて封止形態に形成されるため、使用者の腕に装着可能である。組み合わせる際、まず、延伸部３１１を挿着部２１１に挿入し（図３を参照する）、モジュール３の第１の係合部材３１３を基体２の係合孔２１２に嵌着させると、第１の凸部２１３が窪み部３１２に位置合わせされる。第２の凸部２１４が凹溝３１４に位置合わせされ（図４を参照する）、モジュールの端部３２を下方へ移動させると、第２の係合部材３２１が係止孔２２１に係止され、モジュール３と基体２とが組み合わされる（図５を参照する）。
【００２２】
上述したように、モジュール３を取り外して交換する場合、まず、基体２の両側に対して内方へ力を加えると、基体２が僅かに変形し（図６を参照する）、モジュール３の第２の係合部材３２１が基体２の係止孔２２１から取り外され、モジュール３の第１の係合部材３１３を基体２の係合孔２１２から取り外すと（図７を参照する）、モジュール３を基体２から取り外し、所望の形態のモジュール３と交換し、再び組み合わせて身体に装着することができる。
【００２３】
また、モジュール３は、基体２に対して取り付けたり取り外したりすることができる。各モジュール３は異なる機能をそれぞれ備える（図８及び図９を参照する）。例えば、モジュール３は、計算機、歩数計、タイマー、カロリー計算機、生理情報モニタ、時計装置、位置装置（ｐｏｓｉｔｉｏｎｉｎｇ  ｄｅｖｉｃｅ）、録音録画装置、緊急通報装置、ビデオ通話装置、ＬＥＤランプ装置、ＡＶ機器、音声翻訳機、携帯電話と通信可能な写真撮影装置又は電子チケット装置の電子機器でもよい。図１０に示すように、モジュール３は、その上に宝飾が嵌着された形態でもよいし、それ以外に、香りを有する香水入れ、又は化粧品など他の異なる機能を有する形態にしてもよい。基本的に、使用者のニーズに応じてモジュール３を組み合わせて装着するため、本実施形態では基体２とモジュール３とを互いに取り付けたり取り外したりすることができる特殊な構造にし、腕輪１に多機能を持たせてもよい。
【００２４】
また、基体２及びモジュール３の形状・寸法を図１１及び図１２に示す。図１１及び図１２に示すように、基体２の幅は、モジュール３より略大きい。基体２の挿着部２１１及び係止孔２２１の端縁は円弧状を呈する。モジュール３の端部３１，３２及び延伸部３１１の端縁は、挿着部２１１及び係止孔２２１の端縁に対応した円弧状に形成され、その他モジュール３の構造や、基体２に対して取り付けたり取り外したりする方式は、前述した実施形態と同じであるため、ここでは詳しく述べない。
【００２５】
また、基体２及びモジュール３の構造を図１３及び図１４に示す。図１３及び図１４に示すように、基体２は、複数の挿着部２１１と、挿着部２１１に隣り合う係合孔２１２と、が一端にそれぞれ設けられ、複数の係止孔２２１が他端に設けられる。モジュール３は、複数の第１の係合部材３１３が一端に設けられ、複数の第２の係合部材３２１が他端に設けられる。モジュール３を基体２に対して取り付けたり取り外したりする方式は、前述した実施形態と同じであるため、ここでは詳しく述べない。モジュール３も同様に基体２に対して取り付けたり取り外したりする方式を採用し、モジュール３に異なる機能を持たせてもよい。図１５に示すように、本実施形態のモジュール３は、時計の電子機器であるが、これだけに限定されるわけではなく、他の機能を有する形態にしてもよい。
【００２６】
また、基体２及びモジュール３の構造を図１６及び図１７に示す。図１６及び図１７に示すように、延伸部３１１は、モジュール３の端部３１の底縁から外方へ延びる。延伸部３１１には、係合孔２１２に対応する第１の係合部材３１３が設けられる。基体２は、２個の開放端部２１，２２を有する。開放端部２１は、少なくとも１つの挿着部２１１と、挿着部２１１に隣り合う係合孔２１２と、を有する。開放端部２２は、係止孔２２１を有する。挿着部２１１と係合孔２１２との間には、第１の凸部２１３が設けられる。延伸部３１１には、窪み部３１２が設けられる。窪み部３１２には、係合孔２１２と第１の係合部材３１３とが係止されて位置決めされるように、第１の凸部２１３が対応するように収容される。挿着部２１１の前縁には、第２の凸部２１４が設けられる。窪み部３１２と凹溝３１４とは表裏の関係に設けられる。凹溝３１４と第２の凸部２１４とは対向配置され、延伸部３１１を挿着部２１１に挿入する際、モジュールの端部３２を下方へ移動させると、第２の係合部材３２１が係止孔２２１に係止されて基体２と組み合わされる。
【００２７】
基体２及びモジュール３の構造を図１８及び図１９に示す。図１８及び図１９に示すように、延伸部３１１は、モジュール３の底縁から外方へ延びる。延伸部３１１には、係合孔２１２に対応する第１の係合部材３１３が設けられる。図１６及び図１７の形態の違いは以下の通りである。挿着部２１１の前縁には、第２の凸部２１４が設けられておらず、窪み部３１２には、表裏の関係に凹溝３１４は形成されず、延伸部３１１を挿着部２１１に挿入する際、モジュールの端部３２を直接下方へ移動させると、第２の係合部材３２１が係止孔２２１に係止されて基体２と組み合わされる。その他モジュール３の構造や、基体２に対して取り付けたり取り外したりする方式については、前述した実施形態と同じであるため、ここでは詳しく述べない。
【００２８】
上述したことから分かるように、従来の腕輪が有する欠点と、効果を達成することができない従来技術と比べ、本考案の腕輪１は、基体２と、モジュール３の特殊な着脱自在の構造とにより、様々な状況又はニーズに応じて異なる機能を有するモジュール３を提供し、装着する者の様々なニーズを満たし、容易に取り付けたり取り外したりすることができ、あらゆる年齢層で使用し易く、様々な材料を使用して応用範囲を広げることができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１  腕輪
２  基体
３  モジュール
２１  開放端部
２２  開放端部
３１  端部
３２  端部
２１１  挿着部
２１２  係合孔
２１３  第１の凸部
２１４  第２の凸部
２２１  係止孔
３１１  延伸部
３１２  窪み部
３１３  第１の係合部材
３１４  凹溝
３２１  第２の係合部材
【図１】
0003215069.tif 000003
【図２】
0003215069.tif 000004
【図３】
0003215069.tif 000005
【図４】
0003215069.tif 000006
【図５】
0003215069.tif 000007
【図６】
0003215069.tif 000008
【図７】
0003215069.tif 000009
【図８】
0003215069.tif 000010
【図９】
0003215069.tif 000011
【図１０】
0003215069.tif 000012
【図１１】
0003215069.tif 000013
【図１２】
0003215069.tif 000014
【図１３】
0003215069.tif 000015
【図１４】
0003215069.tif 000016
【図１５】
0003215069.tif 000017
【図１６】
0003215069.tif 000018
【図１７】
0003215069.tif 000019
【図１８】
0003215069.tif 000020
【図１９】
0003215069.tif 000021